(57)【要約】【課題】壁紙等の物に新たな需要喚起に繋がるような異質で新しい付加価値を創造する。【解決手段】壁紙６がキャラクター印刷部８と二次元コード印刷部９を有しており、二次元コード印刷部９にはキャラクター印刷部８に印刷されたキャラクターの音声、画像又は動画であるコンテンツ情報を含む通信ネットワーク２上のアドレスが印刷されている。二次元コード印刷部９によりアクセス端末３で読み取ることで、壁紙６のキャラクターの音声、画像又は動画がコンテンツ５ａとして配信される。このため質感や印刷面で装飾するだけでなく壁紙６のキャラクターと連動するコンテンツ５ａによる新たな楽しみ方による付加価値を提供することができる。【選択図】図１
2018145782.tif 000002
【特許請求の範囲】
【請求項１】
情報表示担体に装飾部を有する情報表示体において、
前記装飾面が、
人物、動物、物等のキャラクターを表示するキャラクター表示部と、
前記キャラクター表示部に表示された前記キャラクターの音声、画像又は動画であるコンテンツ情報を含む通信ネットワーク上のアドレスが二次元コードとして表示された二次元コード表示部とを有することを特徴とする情報表示体。
【請求項２】
前記二次元コード表示部として、前記コンテンツ情報が異なる複数の前記二次元コード表示部を有する請求項１記載の情報表示体。
【請求項３】
前記二次元コード表示部が、前記二次元コードと、前記二次元コードを除く部分に配置したダミー二次元コードとを有するものである請求項１又は請求項２記載の情報表示体。
【請求項４】
前記情報表示担体が、紙材、樹脂材、金属材、繊維材、皮革材、石材、陶器、木材、ガラス材、食品の少なくとも何れかである請求項１〜請求項３何れか１項記載の情報表示体。
【請求項５】
前記装飾部が、印刷層、塗層、めっき層、焼成層、切削面、成形体面、食品装飾面、表示装置の表示画面、画像投影装置の投影像の少なくとも何れかである請求項１〜請求項４何れか１項記載の情報表示体。
【請求項６】
前記情報表示担体がシートであり、
前記シートは前記表面と反対側の裏面に被着対象物に貼っても剥がせる粘着面を有する請求項１〜請求項５何れか１項記載の情報表示体。
【請求項７】
前記情報表示担体が前記装飾部を有する紙材又は樹脂材であり、
前記キャラクター表示部がキャラクター印刷部であり、
前記二次元コード表示部が二次元コード印刷部である請求項１〜請求項５何れか１項記載の情報表示体。
【請求項８】
請求項１〜請求項７何れか１項記載の情報表示体と、前記アドレスへのアクセスに基づいて前記コンテンツ情報が示すコンテンツを配信するコンテンツ配信サーバと、を備えるコンテンツ提供システム。
【発明の詳細な説明】
【技術分野】
【０００１】
本発明は、情報を表示する情報表示体とコンテンツを提供するシステムに関する。
【背景技術】
【０００２】
古くから建物の室内空間の装飾材として壁紙が利用されている。しかしながら既存の壁紙は建物の新築時やリフォーム時等に使用が限られており、商品価値が成熟している壁紙についてそのようなタイミング以外に需要増大を期待するのは難しい。
【０００３】
そうした壁紙ではあるものの顧客にとっての付加価値を向上するために、例えば特許文献１にはコンピュータシステムを利用して、顧客が希望したり提示する模様、彩色等のデザイン情報に基づいて壁紙の受注から印刷までを簡便かつ低コストに実現することができる壁紙の受注・印刷・販売システムが提案されている。こうした顧客オリジナルの壁紙を製造販売できるシステムによれば、商品見本の中からより適したものを選ぶしかない既製品を提供するビジネスモデルとは異なり、顧客が自ら希望する装飾面を有する壁紙を得ることができるので、顧客に対する壁紙の付加価値の向上に貢献することが期待される。
【先行技術文献】
【特許文献】
【０００４】
【特許文献１】特開２００５−２４２５１１号
【発明の概要】
【発明が解決しようとする課題】
【０００５】
ところで、前述のような顧客オリジナルの壁紙を製造販売できるシステムは考案されているものの、壁紙の装飾性に着目すると古くからの壁紙と比べて質的には大きく変わるところがないと言える。主に壁紙の装飾性は、壁紙材の質感や、表面に印刷された色彩、模様等の印刷面によって発揮されるが、それらの質感や印刷面の品質レベルでの進歩はあるものの、壁紙の新たな需要喚起に繋がるような異質で新しい付加価値を提供するものは存在しない。
【０００６】
以上のような従来技術を背景になされたのが本発明である。その目的は新たな需要喚起に繋がるような異質で新しい付加価値を壁紙に加えることにある。
【０００７】
また、前記目的はこれまでとは異質で新しい付加価値を壁紙に提供することを目的とするが、壁紙のみならず様々な物やサービスについても同様の付加価値を提供できるとも考えられる。そこで本発明はさらに、様々な物やサービスについてこれまでとは異質で新しい付加価値を提供できるようにすることを他の目的とする。
【課題を解決するための手段】
【０００８】
上記目的を達成すべく本発明は以下の特徴を有するものとして構成される。
【０００９】
本発明は、情報表示担体に装飾部を有する情報表示体について、前記装飾部が、人物、動物、物等のキャラクターを表示するキャラクター表示部と、前記キャラクター表示部に表示された前記キャラクターの音声、画像又は動画であるコンテンツ情報を含む通信ネットワーク上のアドレスが二次元コードとして印刷された二次元コード表示部とを有することを特徴とする。
【００１０】
また本発明は、本発明による情報表示体と、前記アドレスへのアクセスに基づいて前記コンテンツ情報が示すコンテンツを配信するコンテンツ配信サーバと、を備えるコンテンツ提供システムを提供する。
【００１１】
前記本発明の情報表示体及びコンテンツ提供システムによれば、情報表示担体が、装飾部を飾るキャラクター表示部のみならず二次元コード表示部を有しており、その二次元コード表示部はキャラクター表示部に表示された前記キャラクターの音声、画像又は動画であるコンテンツ情報を含む通信ネットワーク上のアドレスを表示するものである。したがって読取装置により二次元コード表示部を読み取ることで、情報表示担体のキャラクターの音声、画像又は動画がコンテンツとして配信される。このため質感や印刷面で装飾するだけの従来の壁紙のような従来の情報表示体に、情報表示担体に表示されたキャラクターと連動するコンテンツによる新たな楽しみ方による付加価値を提供することができる。
【００１２】
なお、本発明の「情報表示体」でいう「情報」とは「キャラクター表示部」と「二次元コード表示部」以外の他の情報（「あることがらについてのしらせ。判断を下したり行動を起こしたりするために必要な、種々の媒体を介して知識。」（引用）広辞苑第５版）を、情報表示担体が有することを必須とするものではない。例えば紙材であれば、無地や無模様であってもよいし、装飾があってもよく、樹脂フィルムであればさらに有色透明や無色透明であってもよい。
【００１３】
前記本発明の情報表示体については、前記二次元コード表示部として前記コンテンツ情報が異なる複数の前記二次元コード表示部を有するものとして構成できる。
【００１４】
本発明によれば、一つの情報表示体に複数の二次元コード表示部があり、各アドレスにより配信されるコンテンツが異なるため、多様な楽しみ方を提供することができる。
【００１５】
前記本発明の情報表示体については、前記二次元コード表示部が、前記二次元コードと、前記二次元コードを除く部分に配置したダミー二次元コードとを有するものとして構成できる。
【００１６】
本発明によれば、定型的な四角形状の二次元コードを装飾部に配置する場合と異なり、二次元コード表示部を一種の装飾模様として表現することができ、またアクセスを促すため目立たせることができる。なお、前記二次元コード表示部は、前記二次元コードと前記ダミー二次元コードとを内側に配置する装飾表示枠を有するように構成できる。これによれば、装飾表示枠の枠内に視線を集めることができ、アクセスをより促すことができる。
【００１７】
前記本発明の情報表示担体については、前記装飾部を表示することができれば、どのような表示媒体でもよい。その一例として前記情報表示担体は、紙材、樹脂材、金属材、繊維材、皮革材、石材、陶器、木材、ガラス材、食品の少なくとも何れかとして構成できる。これによれば、様々な素材に適用範囲を拡張して、それぞれ情報表示体として利用することができる。
【００１８】
前記本発明の装飾部については、それを表示することができれば、どのような表示形態でもよい。その一例として前記装飾部は、印刷層、塗層、めっき層、焼成層、切削面、成形体面、食品装飾面、表示装置（例えばディスプレイ等）の表示画面、画像投影装置の投影像（例えばプロジェクター、プロジェクションマッピング等の光学的映写面）の少なくとも何れかとして構成できる。これによれば、装飾部を様々な表示形態で形成することができる。したがって前述の様々な情報表示担体との組合せによって、様々な情報表示体を実現することができる。
【００１９】
前記本発明の情報表示体については、シートとして構成することができ、前記シートは前記表面と反対側の裏面に被着対象物に貼っても剥がせる粘着面を有するものとして構成できる。
【００２０】
本発明によれば、貼って剥がせる紙材、樹脂フィルム等のシートとして構成できることから、シートを交換したり、一時的に使用するといった使い方のバリエーションを拡げることができる。
【００２１】
前記本発明の情報表示体については、様々な物やサービス（サービス媒体）として実施することが可能である。その一例として前記本発明については、前記情報表示担体が前記装飾部を有する紙材又は樹脂材であり、前記キャラクター表示部がキャラクター印刷部であり、前記二次元コード表示部が二次元コード印刷部であるものとすることができる。
【００２２】
本発明によれば、これまで質感や印刷面等で装飾するだけの従来の紙材や樹脂材に、装飾部に表示されたキャラクターと連動するコンテンツによる新たな楽しみ方を提供することが可能となり、紙材や樹脂材の新たな需要喚起に繋げることができる。
【発明の効果】
【００２３】
本発明によれば、様々な物やサービスを情報表示担体として、その装飾部に表示されたキャラクターの音声、画像、動画を入手することができるので、様々な物品やサービスを通じてこれまでとは異質で新しい付加価値を提供できる。
【図面の簡単な説明】
【００２４】
【図１】一実施形態による壁紙コンテンツ提供システムの構成を示す図。
【図２】一実施形態による壁紙を示す図。
【図３】図１のコンテンツ配信サーバのハードウェア構成の一例を示す図。
【図４】図３の制御部のハードウェア構成の一例を示す図。
【発明を実施するための形態】
【００２５】
以下、本発明の実施形態について図面を参照しつつ説明する。以下の説明において同一の要素には同一の符号を付して重複説明を省略する。
【００２６】
壁紙コンテンツ提供システム〔図１〜図４〕：
図１は、本発明の「コンテンツ提供システム」としての本実施形態に係る壁紙コンテンツ提供システム１を含む、通信ネットワーク２に接続された通信ネットワークシステムについて示す図である。この図に示されるように、通信ネットワーク２には、アクセス端末３、コンテンツ管理端末４、コンテンツ配信サーバ５が接続されている。ここでコンテンツ配信サーバ５及び壁紙６は、本発明の壁紙コンテンツ提供システム１を構成しているが、当該システム１としてアクセス端末３、コンテンツ管理端末４を含めるものとしてもよい。また、壁紙６は本発明の「情報表示体」及び「情報表示担体」を構成するものである。
【００２７】
壁紙６は、紙材や樹脂材料を素材とする薄厚シート状の基材にて形成されている。壁紙６の表面が「装飾部」としての装飾面７であり、裏面には室内の壁やガラス等の被着対象物に対して貼っても剥がせる粘着面（図示略）を有している。粘着面には剥離紙を付けておいて、使用時に剥離紙を剥がして使用するものとすることができる。壁紙６のサイズは、例えばＡ４サイズ程度の大きさのものから、例えば幅９２ｃｍで長さ数メートルのものまで使用することができる。本実施形態ではＡ３程度の大きさの壁紙６を例示している。
【００２８】
装飾面７は、印刷面にて形成され、本発明の「キャラクター表示部」としてのキャラクター印刷部８と本発明の「二次元コード表示部」としての二次元コード印刷部９とを含んで構成される。その印刷面は、例えばインクジェットプリンタにより印刷することができる。したがって壁紙６は、例えば無地の壁紙にキャラクター印刷部８と二次元コード印刷部９とをインクジェットプリンタにて印刷することで製造することができる。
【００２９】
キャラクター印刷部８は、本実施形態では人物の影を示す人物図形８ａと、花束（物）を表す物図形８ｂとを有している。本発明でいう「キャラクター」とは人物のみならず、動物や物をも含む広い概念であり、その例として本実施形態では人物に対応する人物図形８ａと、花束（物）に対応する物図形８ｂとを例示している。動物の場合には動物図形を印刷することができる。またキャラクター印刷部８は、人物、動物、物として把握することができれば、写真、絵、図などの表現形態はどのようなものでもよい。したがって実際の人物、動物、物を撮影した写真をキャラクター印刷部８としたり、人物、動物、物を描いた漫画やアニメーション画像をキャラクター印刷部８としてもよい。
【００３０】
二次元コード印刷部９は、いわゆるＱＲコード（登録商標）のようにバイナリデータが埋め込まれた画像である二次元コード９ａを含んで印刷されている。二次元コード９ａは、装飾表示枠９ｂの内側に配置されており、二次元コード９ａを除く残余の部分にはダミー二次元コード９ｃが配置されている。なお、図２では説明の便宜上二次元コード９ａを太い破線による境界線で囲んでいるが、実際にはそうした境界線は無く、ダミー二次元コード９ｃとの境界が分からないようにしている。
【００３１】
二次元コード９ａがスマートフォン、タブレット端末、ノート型パソコン等の携帯通信端末でなるアクセス端末３のカメラ撮影等により画像認識されることによりバイナリデータを取得することができる。バイナリデータが示すのは通信ネットワーク２上のアドレスであり、アクセスに基づいて配信されるコンテンツ５ａのコンテンツ情報を含むアドレスとすることができる。このアドレスは例えばＵＲＬとすることができる。他方、ダミー二次元コード９ｃは、装飾表示枠９ｂの二次元コード９ａ以外の部分を埋めるものであり、アクセス端末３により画像認識されずバイナリデータも取得できない部分であり、あくまで装飾表示枠９ｂの地模様としている。
【００３２】
装飾表示枠９ｂは、本実施形態ではハート形状の表示枠を例示しているが、その他の形態の装飾表示枠であってもよい。このように装飾表示枠９ｂに二次元コード９ａとダミー二次元コード９ｃとを含めていることが特徴である。壁紙コンテンツ提供システム１でアクセス端末３にコンテンツ５ａが配信されるためには、二次元コード９ａが画像認識されることが必要であり、二次元コード９ａへの注目を促す必要がある。そのために四角形状の二次元コード９ａをそのまま装飾面７に配置してしまうと、二次元コード９ａの機械的で無機質な印象がキャラクター印刷部８のキャラクターの印象と合致しないため見る者の注目を促すことができない。そこで装飾性のある装飾表示枠９ｂを主体としてその内側に二次元コード９ａとダミー二次元コード９ｃとを配置する二次元コード印刷部９として構成することで、二次元コード９ａの機械的で無機質な印象を緩和し、キャラクター印刷部８に対して馴染みやすくしているのである。こうした意図から装飾表示枠９ｂは、本実施形態ではハート型を例示したが、見る者の感性に触れるような形状の表示枠とするのが好ましい。装飾表示枠９ｂをそのような感性的な表示枠とすることで、アクセスを促すため目立たせることができる。
【００３３】
アクセス端末３は、壁紙６の二次元コード９ａをカメラで撮影し、二次元コード９ａに示された通信ネットワーク２上のアドレスに基づいて、コンテンツ配信サーバ５にアクセスし、コンテンツ配信サーバ５にデータとして蓄積されており送信されるコンテンツ５ａとしての音声、画像又は動画をアクセス端末３で出力する。アクセス端末３は、コンテンツ５ａとしての音声をスピーカで再生し、また画像や動画を画面に表示する。
【００３４】
コンテンツ５ａは、キャラクター印刷部８に印刷されたキャラクターについての音声、画像又は動画である。キャラクターが人物図形８ａである場合、音声としては例えばその人物の肉声や、その人物に話しかける他者の肉声等である。画像としては例えばその人物の写真や似顔絵等である。動画としては例えばその人物の幼少期の映像であったり、その人物に話しかける他者の映像等である。キャラクターが動物である場合も同様である。また、キャラクターが物図形８ｂである場合、音声としては例えばその物の特長を説明する音声等である。画像としては例えばその物の詳細画像である。動画としては例えばその物の変化を表す映像であったり、その物に関連のある人物の映像等である。このようにコンテンツ５ａは、キャラクター印刷部８のキャラクター自体や、そのキャラクターに関連する他者や物についての音声、画像、動画として構成することができる。
【００３５】
コンテンツ５ａは、コンテンツ管理端末４で管理される。壁紙６に印刷されている二次元コード９ａとコンテンツ５ａとが一対一で対応する必要があるため、コンテンツ管理端末４は、壁紙６を印刷する前に、コンテンツ配信サーバ５に蓄積するコンテンツ５ａの配信用のアドレスを生成し、それをコンテンツ５ａの配信用データと関連付けてコンテンツ配信サーバ５に蓄積する。こうしたコンテンツ５ａのアドレスの生成と配信用データの蓄積は、壁紙コンテンツ提供システム１を提供する事業者が行う。コンテンツ５ａの配信用データは壁紙６の製造を希望するユーザ自身が作成したり、当該事業者がそのユーザの要望に応じて作成したりする。また二次元コード９ａを含む壁紙６の製造、販売は、当該事業者自身やその委託者によって行われる。
【００３６】
図３はコンテンツ配信サーバ５のハードウェア構成の一例について示す図である。この図に示されるように、コンテンツ配信サーバ５は、制御部５ｂと、制御部５ｂに接続され、制御部５ｂから出力される情報を表示する液晶表示装置等の表示部５ｃと、制御部５ｂに対して情報を入力するキーボード、マウス又はカメラ等の入力部５ｄとを有している。なお、コンテンツ配信サーバ５の構成はこれらの構成に限られるものではない。図４は、制御部５ｂのハードウェア構成の一例について示す図である。この図に示されるように、制御部５ｂは、主に半導体装置とそれらを接続する配線とからなり、ＣＰＵ（Central Processing Unit）５ｂ１と、ＲＡＭ（Random Access Memory）等の揮発性記憶部５ｂ２と、ハードディスクやフラッシュメモリ等の不揮発性記憶部５ｂ３と、図示せぬファイヤーウォールやスイッチ等のアクセス中継部やネットワークに接続されるネットワークインターフェース５ｂ４と、入力部５ｄ等の外部接続機器と接続するための外部接続インタフェース５ｂ５とを有している。前述の不揮発性記憶部５ｂ３は、コンテンツ５ａとその通信ネットワーク２上のアドレスとを対応付けて蓄積する外部記憶装置として構成されている。なお、制御部５ｂの構成はこれに限られるものではない。
【００３７】
アクセス端末１０及びコンテンツ管理端末４は、パーソナルコンピュータやサーバ装置等のコンピュータ装置に限られず、図２及び図３と同様の構成を有するスマートフォンやタブレット端末等であってもよい。また、本実施形態においては、アクセス端末３の入力装置には、二次元コード９ａを撮影するためのカメラが含まれることとするが、カメラを含んでおらず、二次元コード９ａの画像を他の装置（例えばアクセス端末３に対して無線接続により画像転送可能なデジタルカメラ等）から取得することとしてもよい。
【００３８】
壁紙コンテンツ提供システム１及び壁紙６の作用・効果：
以上のような壁紙コンテンツ提供システム１によれば、アクセス端末３にて壁紙６の二次元コード９ａを画像認識することで通信ネットワーク２上のアドレスを取得し、そのアドレスにアクセスすることで、キャラクター印刷部８のキャラクターに関連付けられたコンテンツ５ａがコンテンツ配信サーバ５から配信データとして提供される。アクセス端末３では、その配信データを音声、画像、動画として出力する。このようにして壁紙コンテンツ提供システム１によれば、壁紙６上のキャラクターに関連付けられたコンテンツ５ａをアクセス端末３に提供することができる。このため質感や印刷面で装飾するだけの従来の壁紙とは異なり、壁紙６のキャラクターと連動するコンテンツ５ａによる新たな楽しみ方による付加価値を提供することができる。
【００３９】
また壁紙６は、被着対象物としての例えば建物の室内装飾用の壁紙６として使用することができる。この場合には通常の壁紙と同様に使用することができる。また、Ａ３やＡ４サイズとして室内装飾する壁紙６として使用することもできる。そのほかにも例えばイベント会場等の壁に一時的に貼り付けるような壁紙６として使用することができ、これによれば来場者に対して壁紙６上のキャラクターと連動するコンテンツ５ａを提供することが可能であり、イベント自体の付加価値も高めることができる。このようなこれまでにない壁紙６の新しい使い方によって、壁紙６の新たな需要喚起に繋がる新しい付加価値を提供することができる。
【００４０】
実施形態の変形例：
前記実施形態では、二次元コード印刷部９を一つ有する壁紙６を例示したが、コンテンツ５ａが異なる複数の二次元コード印刷部９を有するものとしてもよい。この変形例によれば、一つの壁紙６に複数の二次元コード印刷部９があり、各アドレスにより配信されるコンテンツが異なるため、多様な楽しみ方を提供することができる。
【００４１】
前記実施形態では、壁紙コンテンツ提供システム１を提供する事業者が、コンテンツ５ａの配信データをコンテンツ配信サーバ５に蓄積する例を示したが、例えば壁紙６を販売を受け付けるＷｅｂサーバを設け、ユーザがＷｅｂサーバ上で壁紙６の基材の仕様（素材、サイズ等）と装飾表示枠９ｂの形状をテンプレートの中から選択し且つキャラクター印刷部８の印刷画像をアップロードすることで壁紙６を構成するとともに、さらにコンテンツ５ａとする配信データをアップロードするように構成してもよい。この場合、アップロードされた配信データは、コンテンツ配信サーバ５に蓄積される。これによれば、ユーザ自身が壁紙６をカスタマイズして購入することが可能となる。
【００４２】
前記実施形態では「情報表示体」、「情報表示担体」として壁紙６を例示したが、その他の物でもよい。例えば「情報表示担体」をイベントホール等の建物の壁面とし、「キャラクター表示部」を例えばプロジェクターのような画像出力装置が映写する映像中のキャラクター表示部とし、「二次元コード表示部」を当該画像出力装置が映写する映像中の二次元コード表示部として構成することができる。これによれば例えば広告イベントで広告映像を表示するだけでなく、広告映像中に表示されている二次元コード表示部をスマートフォン等の読取り装置で読み取ることで、広告映像中のキャラクター表示部に表示されているキャラクターと連動するコンテンツを提供することができ、より注目を惹くことのできる広告方法を提供することができる。
【００４３】
その他にも「情報表示担体」としては、紙材、樹脂材、金属材、繊維材、皮革材、石材、陶器、木材、ガラス材、食品としてもよい。具体的な物品名としては、ポスター、名刺、シール、包装テープ、装飾用テープ、包装材、梱包材、食器、化粧フィルム、チラシ、ラベル、ディスク状記録媒体（ＣＤ、ＤＶＤ、ブルーレイディスク）、被服、布地、ペットボトル、缶、床材、看板、食品（焼き菓子、お菓子アート等）、建築材、文房具、書籍、版画、印鑑等とすることができる。もちろんこれらはあくまで例示であるため、これらの物品に限定するものではない。
【００４４】
またこうした「情報表示担体」に設ける「装飾部」についても「キャラクター表示部」と「二次元コード表示部」とを少なくとも表示することができれば、どのような装飾手段でもよい。その一例としては、印刷層（例えば印刷物、印面等）、塗層、めっき層、焼成層（例えば焼き印等）、切削面、成形体面（例えば樹脂成形体の成形面等）、食品装飾面、表示装置の表示画面、画像投影装置の投影像等とすることができる。もちろんこれらも例示であるため、これらの装飾面に限定するものではない。
【００４５】
前記実施形態では、壁紙による一例を示したが、そのほかにも本発明による「情報表示体」及び「コンテンツ提供方法」は、様々な物やサービスに適用することが可能である。
【符号の説明】
【００４６】
１      壁紙コンテンツ提供システム（コンテンツ提供システム）
２      通信ネットワーク
３      アクセス端末
４      コンテンツ管理端末
５      コンテンツ配信サーバ
５ａ    コンテンツ
５ｂ    制御部
５ｂ１  ＣＰＵ
５ｂ２  揮発性記憶部
５ｂ３  不揮発性記憶部
５ｂ４  ネットワークインターフェース
５ｂ５  外部接続インターフェース
５ｃ    表示部
５ｄ    入力部
６      壁紙（情報表示体、情報表示担体）
７      装飾面（装飾部）
８      キャラクター印刷部（キャラクター表示部）
８ａ    人物図形
８ｂ    物図形
９      二次元コード印刷部（二次元コード表示部）
９ａ    二次元コード
９ｂ    装飾表示枠
９ｃ    ダミー二次元コード
【図１】
2018145782.tif 000003
【図２】
2018145782.tif 000004
【図３】
2018145782.tif 000005
【図４】
2018145782.tif 000006